(57)【要約】【課題】本発明は、カメラモジュールを通じて入力された被写体を画像処理モジュールを通じて電子的に拡大させ、ディスプレイモジュールに出力することにより視力が良くない高齢者、あるいは低視力者が小さなサイズの被写体を簡単に見ることができようにした携帯用電子映像拡大装置に関するもので、より詳細にはカメラモジュールの回転及び本体の角度調節が可能で様々なモードで使用することができ、スタンドがカメラモジュールの撮影する被写体と被写体周辺に位置していないので各種文書及び書類等に署名したり、筆記などの作業を行うことができる携帯用電子映像拡大装置に関するものである。【解決手段】本発明によると、本体フレームと前記本体フレームの背面に設置されているカメラモジュール、前記本体フレームの前面に設置されているディスプレイモジュールと前記本体フレームの内部に設置されている画像処理モジュールと前記本体フレームの両側面にそれぞれ設置されているガイドピンからなる本体;ベース板と前記ベース板の中央上部から前記本体が収容されている収容空間が設けされるように前記ベース板の両端上面にそれぞれ設置されている支持手段と前記支持手段の各内側面に形成されて、前記ガイドピンが挿入されるガイド溝で構成されて前記カメラモジュールの焦点距離と前記ディスプレイモジュールの視野角度確保のために前記本体を一定角度の範囲で回転し取付けるスタンド;を含んで構成されていることを特徴とする携帯用電子映像拡大装置を技術要旨とする。【選択図】図１
2019533317.tif 000002
【特許請求の範囲】
【請求項１】
本体フレームと、前記本体フレームの背面に設置されているカメラモジュールと、前記本体フレームの前面に設置されているディスプレイモジュールと、前記本体フレームの内部に設置されている画像処理モジュールと、前記本体フレームの両側面にそれぞれ設置されているガイドピンとからなる本体と、
ベース板と、前記ベース板の中央上部から前記本体が収容されている収容空間が設けされるように前記ベース板の両端上面にそれぞれ設置されている支持手段と、前記支持手段の各内側面に形成されて、前記ガイドピンが挿入されるガイド溝とで構成されており、前記カメラモジュールの焦点距離と前記ディスプレイモジュールの視野角度確保のために前記本体を一定角度の範囲で回転し取付けるスタンドと、を含んで構成されていることを特徴とする携帯用電子映像拡大装置。
【請求項２】
請求項１において、
前記ガイドピンは、前記本体フレームの両側面の下側前端部にそれぞれ設置されている第１ガイドピンと、前記本体フレームの両側面の上側中間部にそれぞれ設置されている第２ガイドピンと、で構成され、
前記ガイド溝は、前記支持手段の各内側面の下側前端部から中間部に至るまで直線状に形成されている第１ガイド溝と、前記支持手段の各内側面の上側中間部から後端部に至るまでの曲線の形でそれぞれ形成されている第２ガイド溝と、で構成されていることを特徴とする携帯用電子映像拡大装置。
【請求項３】
請求項２において、
前記第１ガイド溝または前記第２ガイド溝は、前記本体フレームの取付け角度が維持されるように前記第１ガイドピン又は前記第２ガイドピンが挿入固定されている複数の角度固定溝が前記第１ガイド溝または前記第２ガイド溝よりもっと深く形成されることを特徴とする携帯用電子映像拡大装置。
【請求項４】
請求項１において、
前記カメラモジュールは、前記本体フレームに引き出し可能に設置されるカメラホルダーに回転可能に連結設置されており、
前記カメラホルダーは、前記本体フレームの背面内側に引き出し可能に挿入されて一端が前記本体フレームの内側にスライディング及び回転可能に接続されて他端に前記カメラモジュールが回転可能に接続されていることを特徴とする携帯用電子映像拡大装置。
【請求項５】
請求項４において、
前記本体フレームの背面には前記カメラホルダーが前記本体から引き出したときにスプリングによって下方に付勢され、前記カメラホルダーを下方一定の角度で固定支持するスプリングユニットが設置されていることを特徴とする携帯用電子映像拡大装置。
【請求項６】
請求項１において、
前記支持手段のいずれかにテレスコピック形で引き出される補助ハンドルが取り付けられており、
前記補助ハンドルは、前記スタンドと段差なしで設置されるように前記ベース板の上部面に陥没形成された第１ハンドル挿入空間に一端が拘束された状態で引き出し可能に設置される第１ハンドル部と、前記第１ハンドル挿入空間に一端が前記第１ハンドル部の他端に接続された状態に引き出し可能に設置された第２ハンドル部と、前記支持手段の外側面に陥没形成された第２ハンドル挿入空間に一端が前記第２ハンドル部の他端にヒンジ接続された状態で引き出し可能に設置されている第３ハンドル部と、で構成されていることを特徴とする携帯用電子映像拡大装置。
【発明の詳細な説明】
【技術分野】
【０００１】
本発明は、カメラモジュールを通じて入力された被写体を画像処理モジュールを通じて電子的に拡大させ、ディスプレイモジュールに出力することにより、視力が良くない高齢者、あるいは低視力者が小さなサイズの被写体を簡単に見ることができようにした携帯用電子映像拡大装置に関するもので、より詳細には、カメラモジュールの回転及び本体の角度調節が可能であるため様々なモードで使用することができ、スタンドがカメラモジュールの撮影する被写体及び被写体周辺に位置していないので、各種文書及び書類等に署名をしたり、筆記などの作業を行うことができる携帯用電子映像拡大装置に関するものである。
【背景技術】
【０００２】
携帯用電子映像拡大装置は、高齢者や低視力者の視力を補完するために見づらい小さな文字が含まれている書籍、新聞、雑誌、小切手、名刺などの被写体を拡大して表示すための装置をいう。
【０００３】
典型的な携帯用電子映像拡大装置は、被写体の映像を入力させて設定に応じて一定の割合で拡大させて画面に出力して表示する構造であって、主として、ディスプレイモジュールと、カメラモジュールが前後に設置された本体と、前記本体を一定の角度で取付けするためのスタンドとにより構成されている。
【０００４】
しかし、従来の携帯用電子拡大装置の大半は、スタンドが本体の背面または一側に折畳式構造または回転式構造で設置されているため、取付け操作が不便である。そして、スタンドが、カメラモジュールが撮影する被写体の周りに位置しているため、被写体となる文書に署名をしたり、文書の空いた領域に文字を書くなどの筆記作業にかなりの制約がある。
【発明の概要】
【発明が解決しようとする課題】
【０００５】
本発明は前記した問題点を解消するために発明されたもので、取付け操作が便利であり、取付ける時に被写体及び被写体周辺での署名や手書きなどの作業が可能で、携帯性が確保されるようにスタンドの構造が改善補完された携帯用電子映像拡大装置を提供することにその目的がある。
【課題を解決するための手段】
【０００６】
前記した目的を達成するための本発明による携帯用電子映像拡大装置は、
本体フレームと、前記本体フレームの背面に設置されているカメラモジュールと、前記本体フレームの前面に設置されているディスプレイモジュールと、前記本体フレームの内部に設置されている画像処理モジュールと、前記本体フレームの両側面にそれぞれ設置されているガイドピンとからなる本体と、
ベース板と、前記ベース板の中央上部から前記本体が収容されている収容空間が設けされるように前記ベース板の両端上面にそれぞれ設置されている支持手段と、前記支持手段の各内側面に形成されて、前記ガイドピンが挿入されるガイド溝とで構成されており、前記カメラモジュールの焦点距離と前記ディスプレイモジュールの視野角度確保のために前記本体を一定角度の範囲で回転し取付けるスタンドと、を含んで構成されていることを特徴とする。
【０００７】
前記ガイドピンは、前記本体フレームの両側面の下側前端部にそれぞれ設置されている第１ガイドピンと、前記本体フレームの両側面の上側中間部にそれぞれ設置されている第２ガイドピンと、で構成され、前記ガイド溝は、前記支持手段の各内側面の下側前端部から中間部に至るまで直線状に形成されている第１ガイド溝と、前記支持手段の各内側面の上側中間部から後端部に至るまでの曲線の形でそれぞれ形成されている第２ガイド溝と、で構成されていることを特徴とする。
【０００８】
前記第１ガイド溝または前記第２ガイド溝は、前記本体フレームの取付け角度が維持されるように前記第１ガイドピン又は前記第２ガイドピンが挿入固定されている複数の角度固定溝が前記第１ガイド溝または前記第２ガイド溝よりもっと深く形成されることを特徴とする。
【０００９】
前記カメラモジュールは、前記本体フレームに引き出し可能に設置されるカメラホルダーに回転可能に連結設置されており、前記カメラホルダーは、前記本体フレームの背面内側に引き出し可能に挿入されて一端が前記本体フレームの内側にスライディング及び回転可能に接続されて他端に前記カメラモジュールが回転可能に接続されていることを特徴とする。
【００１０】
前記本体フレームの背面には前記カメラホルダーが前記本体から引き出したときにスプリングによって下方に付勢され、前記カメラホルダーを下方一定の角度で固定支持するスプリングユニットが設置されていることを特徴とする。
【００１１】
前記支持手段のいずれかにテレスコピック形で引き出される補助ハンドルが取り付けられており、前記補助ハンドルは、前記スタンドと段差なしで設置されるように前記ベース板の上部面に陥没形成された第１ハンドル挿入空間に一端が拘束された状態で引き出し可能に設置される第１ハンドル部と、前記第１ハンドル挿入空間に一端が前記第１ハンドル部の他端に接続された状態に引き出し可能に設置された第２ハンドル部と、前記支持手段の外側面に陥没形成された第２ハンドル挿入空間に一端が前記第２ハンドル部の他端にヒンジ接続された状態で引き出し可能に設置されている第３ハンドル部と、で構成されていることを特徴とする。
【発明の効果】
【００１２】
前記構成による本発明は以下のような効果を期待することができる。
【００１３】
まず、本体とスタンドがスライディング構造に接続されて、本体を後方に押し上げる簡単な操作によりスタンド上で本体を一定の角度範囲内で容易に回転取付けることができるだけではなく、後方から押し上げたときのカメラモジュールの撮影領域とその周辺領域での手書きなどの作業をすることができる効果がある。
【００１４】
そして、カメラモジュールが本体の背面から回転可能に引き出されるカメラホルダーに接続されて本体がスタンドで一定の角度で回転取付けられたときにカメラモジュールの角度を容易に調節可能なので、様々な角度から被写体を撮影して示すことができる効果がある。
【００１５】
そして、スタンドの一側にテレスコピック形の補助ハンドルが２段に引き出し可能に設置されてグリップの役割だけでなく、ハンドルの役割をするので、本体を容易に把持することができる効果がある。
【図面の簡単な説明】
【００１６】
【図１】図１は、本発明の好ましい実施例による携帯用電子映像拡大装置の前面斜視図。
【図２】図２は、本発明の好ましい実施例による携帯用電子映像拡大装置の背面斜視図。
【図３】本発明の好ましい実施例による携帯用電子映像拡大装置の本体を示す斜視図。
【図４】本発明の好ましい実施例による携帯用電子映像拡大装置のスタンドを示す斜視図。
【図５】本発明の好ましい実施例による携帯用電子映像拡大装置の取付け状態を示す例示図。
【図６】本発明の好ましい実施例による携帯用電子映像拡大装置の本体を示す縦断面図。
【図７】本発明の好ましい実施例による携帯用電子映像拡大装置のカメラホルダーを示す斜視図。
【図８】本発明の好ましい実施例による携帯用電子映像拡大装置の使用状態を示す例示図。
【図９】本発明の好ましい実施例による携帯用電子映像拡大装置の補助ハンドルが引き出された状態を示す例示図。
【発明を実施するための形態】
【００１７】
本発明による携帯用電子拡大装置は、カメラモジュールによって撮影された被写体の映像を画像処理モジュールを通じて電子的に拡大させ、ディスプレイモジュールに表示する装置である。
【００１８】
すなわち、本発明による携帯用電子映像拡大装置は、本、新聞、雑誌、小切手、名刺などの印刷された字や数字などの文字を視力が良くない高齢者や低視力者が快適に読めるように拡大させて表示する装置である。
【００１９】
特に、本発明による携帯用電子映像拡大装置は、ディスプレイモジュールとカメラモジュールが前面と背面に設置された本体をディスプレイモジュールの視野角度とカメラモジュールの焦点距離を確保するためのスタンド上に取付けるときに、スタンドの傾斜角度及びカメラモジュールの回転方向に応じて様々な角度から撮影が可能であり、カメラモジュールによって撮影される被写体及びその周辺空間で、署名及び各種書式の作成などの使用者の操作が可能なのが特徴である。
【００２０】
これらの特徴は、スタンドによる全体的な厚さの増加を最小限に抑えながら本体をスライディング方式でスタンドに回転取付けできるようにスタンドの構造を改善し、カメラモジュールの様々な角度で回転するようにカメラホルダーの構造を改善することで可能になる。
【００２１】
以下、本発明の好ましい実施例による携帯用電子映像拡大装置を添付した図面を参照して詳細に説明すると次の通りである。
【００２２】
本発明の好ましい実施例による携帯用電子映像拡大装置は、図１及び図２のように、主として、本体（１００）とスタンド（２００）で構成されることができる。
【００２３】
まず、前記本体（１００）は、図１および図３のように、左右の長さの長い直方体形状を持つ本体フレーム（１１０）と、本体フレーム（１１０）の前面に設置されたディスプレイモジュール（１３０）と、本体フレーム（１１０）の背面に設置されたカメラモジュール（１２０）と、本体フレーム（１１０）の内部に設置された画像処理モジュール（図示せず）と、本体フレーム（１１０）の両側面にそれぞれ突出されるように設置されたガイドピン（１４０）と、を含んで構成されていることが望ましい。
【００２４】
前記カメラモジュール（１２０）は被写体を撮影して被写体の映像を取得する構成であり、前記画像処理モジュールはカメラモジュールから取得された被写体の映像を入力させて様々な方式の映像処理を経て被写体の映像を電子的に拡大させる構成である。
【００２５】
前記ディスプレイモジュール（１３０）は映像処理モジュールで拡大された被写体の映像を使用者が肉眼で見られるように表示する構成であり、前記ガイドピン（１４０）は後述するスタンド（２００）のガイド溝（２３０）に沿って本体フレーム（１１０）をスライディング可能に案内する構成である。
【００２６】
つまり、本体（１００）は、カメラモジュール（１２０）と画像処理モジュール及びディスプレイモジュール（１３０）を通じて使用者に被写体の映像を電子的に拡大させて表示する主な機能を提供することである。
【００２７】
次に、前記スタンド（２００）は、図４で示したように、床に安着される平板状のベース板（２１０）と、前記ベース板（２１０）の上面両端にそれぞれ設置された支持手段（２２０）と、前記支持手段（２２０）の各内側面に沿って陥没形成されたガイド溝（２３０）と、を含んで構成されていることが望ましい。
【００２８】
前記ベース板（２１０）は底部に安着されて本体（１００）を底から安定的に支持する構成である。前記支持手段（２２０）はベース板（２１０）の上部中央に本体（１００）を収容するための収容空間を提供しながら本体（１００）の両側を回転可能に支持する構成である。前記ガイド溝（２３０）は本体（１００）のガイドピン（１４０）が内側に挿入されてガイドピン（１４０）と一緒に本体（１００）をスタンド（２００）の上でスライディング可能にする構成である。
【００２９】
つまり、スタンド（２００）は本体（１００）を中央内部に収容して本体（１００）の両端をスライディング可能に支持するものである。
【００３０】
但し、ベース板（２１０）には、図４で示したように、本体（１００）がスタンド（２００）に設置された状態で本体（１００）のカメラモジュール（１２０）が正常に被写体を撮影することができるようにカメラの露出孔（２９０）が形成されることが望ましい。
【００３１】
ここで、本体（１００）を後方に押してスライディングさせるとき、本体（１００）の前段部を基準として後段部が上方に一定の角度範囲内で回転されながらスタンド（２００）に取付けできるように、本体（１００）のガイドピン（１４０）は、図３のように、第１ガイドピン（１４０ａ）と第２ガイドピン（１４０ｂ）で構成され、スタンド（２００）のガイド溝（２３０）は、図４のように、第１ガイド溝（２３０ａ）と第２のガイド溝（２３０ｂ）で構成されていることが望ましい。
【００３２】
つまり、ガイドピン（１４０）は、本体フレーム（１１０）の両側面の下側前端部にそれぞれ設置されている第１ガイドピン（１４０ａ）と本体フレーム（１１０）の両側面の上側中間部にそれぞれ設置されている第２ガイドピン（１４０ｂ）とで構成されて、ガイド溝（２３０）は、支持手段（２２０）の各内側の下側前端部から中間部に至るまで直線状に形成される第１ガイド溝（２３０ａ）と支持手段（２２０）の各内側面の上側中間部から後端部に至るまでの曲線の形でそれぞれ形成される第２のガイド溝（２３０ｂ）とで構成されている。
【００３３】
したがって、本体（１００）を後方にスライド操作すると第１ガイドピン（１４０ａ）が第１ガイド溝（２３０ａ）に沿って後方水平方向に移動し、第２のガイドピン（１４０ｂ）は第２ガイド溝（２３０ｂ）に沿って上方傾斜移動になることで、図５のように本体（１００）を容易にスタンド（２００）上に回転取付けることができる。
【００３４】
この時、第１ガイド溝（２３０ａ）又は第２ガイド溝（２３０ｂ）には、本体（１００）の取付け角度が固定維持されるように、図４のように、第１ガイドピン（１４０ａ）または第２ガイドピン（１４０ｂ）が挿入される複数の角度固定溝（２４０）が第１ガイド溝（２３０ａ）または第２のガイド溝（２３０ｂ）よりも深く形成されることが望ましい。
【００３５】
したがって、第１ガイドピン（１４０ａ）又は第２ガイドピン（１４０ｂ）が挿入固定されている角度固定溝（２４０）の位置に基づいて本体（１００）の取付け角度を一定の角度範囲内で調節しながら本体（１００）をスタンド（２００）上に回転取付けることができる。
【００３６】
但し、本体（１００）を一定以上の力で押すと第1ガイドピン（１４０ａ）または第２ガイドピン（１４０ｂ）は角度固定溝（２４０）から離脱されて再び第１ガイド溝（２３０ａ）または第２のガイド溝（２３０ｂ）に沿ってスライディング可能になる。
【００３７】
一方、本発明の好ましい実施例による携帯用電子映像拡大装置は、本体（１００）からのカメラモジュール（１２０）を引き出して使用できるように、図６のように、カメラホルダー（３００）をさらに含んで構成されることができる。
【００３８】
前記カメラホルダー（３００）は、カメラモジュール（１２０）と一緒にスタンド（２００）の内側に形成されたカメラ挿入空間（２５０）に挿入された状態で外部に引き出し可能な形で構成されていることが望ましい。
【００３９】
つまり、カメラホルダー（３００）は、図７のように、一端の両側面にスライド突起（３１０）が突出形成されてスタンド（２００）のカメラ挿入空間（２５０）に沿ってスライディング及び回転可能に接続されて他端内側にカメラモジュール（１２０）の両側を回転可能に支持する支持溝（３２０）が形成された構造で構成されることができる。
【００４０】
したがって、カメラホルダー（３００）は、カメラモジュール（１２０）を本体フレーム（１１０）から引き出し可能にすることにより、使用者は図８の（Ａ））に示したように本などの被写体を見るためにカメラモジュール（１２０）が下方に向かうリーディングモード（reading mode）や図８の（Ｂ）に示したよう望遠鏡のように前方に離れている事物などの被写体を見るためにカメラモジュール（１２０）が前方を向くディスタンスモード（distance mode）など簡単に操作することができる。
【００４１】
但し、本体フレーム（１１０）の背面には、前記したモードの操作が簡単に行われるようにカメラホルダー（３００）が本体（１００）から引き出されたときにカメラホルダー（３００）を下方一定の角度で固定支持して本体フレーム（１１０）と平行になるようにするスプリングユニット（４００）が設置されることができる。
【００４２】
このとき、スプリングユニット（４００）は本体フレーム（１１０）の背面内側でスプリング（４１０）によって外部に弾かされるように設置されることが望ましい。つまり、カメラホルダー（３００）がカメラ挿入空間（１５０）に挿入されるときには、図６のようにカメラホルダー（３００）によってスプリング（４１０）が圧縮され、本体フレーム（１１０）の内側に圧入されるようになり、カメラホルダー（３００）がカメラに挿入空間（１５０）から引き出される際は図８のようにスプリング（４１０）によって付勢されながらカメラホルダー（３００）を固定支持するようになる。
【００４３】
また、本発明の好ましい実施例による携帯用電子映像拡大装置は、図９のように、使用者が容易に把持することができるようにスタンド（２００）の一側に補助ハンドル（５００）が引き出し可能にさらに設置することができる。
【００４４】
前記補助ハンドル（５００）は、伸縮形で引き出し可能に構成されてスタンド（２００）の内側にスタンド（２００）と段差なく挿入できるように設置されることが望ましい。
【００４５】
そのために補助ハンドル（５００）は、ベース板（２１０）の上部面に陥没形成された第１ハンドル挿入空間（２６０）に一端が拘束突起（２８０）によって拘束された状態で引き出し可能に設置される第１ハンドル部（５１０）と、第１ハンドル挿入空間（２６０）に一端が第１ハンドル部（５１０）の他端に接続された状態で引き出し可能に設置された第２ハンドル部（５２０）と、支持手段（２２０）の外側面に陥没形成された第２ハンドル挿入空間（２７０）に一端が第２ハンドル部（５２０）の他端にヒンジ接続された状態で引き出し可能に設置される第３ハンドル部（５３０）とで構成されることができる。
【００４６】
したがって、補助ハンドル（５００）は使用者の必要に応じて図9で示したように第３ハンドル部（５３０））と第２ハンドル部（５２０）と及び第１ハンドル部（５１０）が順番に引き出しながら十分な長さを持つようになることで手で把持した状態で本体（１００）とスタンド（２００）を容易に移動させたり持ち上げることができる。
【００４７】
そして補助ハンドル（５００）は、図示していないが、第１ハンドル部（５１０）と第２ハンドル部（５２０）を順番に引き出した状態では前記したハンドル形状だけでなく、指でつかめるグリップの形でも使用することができる。
【００４８】
前記した実施例は例示的なものに過ぎないものであり、当該技術分野の通常の知識を有する者であればこのことから多様に変形された他の実施例が可能である。
【００４９】
したがって、本発明の真の技術的保護範囲には下記の特許請求の範囲に記載された発明の技術的思想により前記の実施例だけではなく、多様に変形された他の実施例が含まれなければならない。
【産業上の利用可能性】
【００５０】
本発明は、カメラモジュールを通じて入力された被写体を画像処理モジュールを通じて電子的に拡大させ、ディスプレイモジュールに出力することにより視力が良くない高齢者、あるいは低視力者が小さなサイズの被写体を簡単に見ることができようにした携帯用電子映像拡大装置に関するもので、より詳細にはカメラモジュールの回転及び本体の角度調節が可能で様々なモードで使用することができ、スタンドがカメラモジュールの撮影する被写体及び被写体周辺に位置していないので各種文書及び書類等に署名をしたり、筆記などの作業を行うことができる携帯用電子映像拡大装置の分野に利用可能である。
【図１】
2019533317.tif 000003
【図２】
2019533317.tif 000004
【図３】
2019533317.tif 000005
【図４】
2019533317.tif 000006
【図５】
2019533317.tif 000007
【図６】
2019533317.tif 000008
【図７】
2019533317.tif 000009
【図８（Ａ）】
2019533317.tif 000010
【図８（Ｂ）】
2019533317.tif 000011
【図９】
2019533317.tif 000012
【国際調査報告】
2019533317.tif 000013
2019533317.tif 000014
2019533317.tif 000015
2019533317.tif 000016